(57)【要約】  無線送信を構成する方法は、第１のセルにサービス提供する第１のネットワークノードで、第２のセルで使用されるオールモストブランクサブフレーム（ＡＢＳ）構成の種類に関する情報を取得することを含む。方法はまた、取得した情報に基づいて、制限付き測定パターンで一又は複数の候補サブフレーム内の一又は複数の無線通信機器にフィードバック情報を伝達するダウンリンク制御チャネルに対して、送信構成を決定することを含む。送信構成は、送信出力レベル、送信フォーマット、又はその両方を備える。方法はまた、決定された送信構成を使用する前記一又は複数の無線通信機器に、アップリンク送信に対するフィードバック情報を送信することを含む。【選択図】図１Ａ
2015514336.tif 000002
【特許請求の範囲】
【請求項１】
無線送信を構成するための方法であって、前記方法は：
第１のセルにサービス提供している第１のネットワークノードで、第２のセルで使用されるオールモストブランクサブフレーム（ＡＢＳ）構成の種類に関する情報を取得すること（６００）と；
前記取得した情報に基づいて、前記第２のセルの前記ＡＢＳでの送信に関連する候補条件を満たす制限付き測定パターン内で一又は複数の候補サブフレームで一又は複数の無線通信機器にフィードバック情報を伝達するダウンリンク制御チャネルに対して、送信出力レベル、送信フォーマット、或いはその両方を含む送信構成を決定すること（６０８、６１０、６１２）と；さらに
アップリンク送信に対するフィードバック情報を、前記決定された送信構成を使用する前記一又は複数の無線通信機器にアップリンク送信のためのフィードバック情報を送信すること（６２０）と
を含む方法。
【請求項２】
前記ＡＢＳの種類はＭＢＳＦＮ  ＡＢＳであって、前記候補条件は前記第２のセル内にＡＢＳサブフレームを含む前記第１のセル内の前記一又は複数の候補サブフレームに関連する、請求項１に記載の方法。
【請求項３】
前記取得した情報に基づいて前記ダウンリンク制御チャネルに対する前記送信構成を決定することは：
前記取得した情報に基づいて前記ダウンリンク制御チャネルに対して正の出力マージン（６０８）を決定することと；さらに
前記送信出力が前記出力マージン及び基準送信出力の和に等しくなるように前記ダウンリンク制御チャネルに対して送信出力（６１０）を決定することと
を含む、請求項１に記載の方法。
【請求項４】
前記ダウンリンク制御チャネルは、複数のフィードバックチャネルグループの１つにそれぞれ割り当てられる複数のフィードバックチャネルの１つを含み；
前記取得した情報に基づいて前記送信構成を決定することは、前記取得した情報に基づいて前記フィードバックチャネルグループの各々に含まれるフィードバック制御チャネルの数を決定することを含み；さらに
フィードバック情報を送信することは、第１のフィードバックチャネルグループ内のすべてのチャネルからフィードバック情報を多重化することを含む、
請求項１に記載の方法。
【請求項５】
前記取得した情報基づいて前記送信構成を決定することは、前記ダウンリンク制御チャネルに対する拡散率の大きさ、前記フィードバック情報に対して使用する直交周波数分割多重（ＯＦＤＭ）シンボルの数、前記ダウンリンク制御チャネルに対する制御チャネルエレメント（ＣＣＥ）の数、変調及びコーディングスキーム、又は前記ダウンリンク制御チャネルに対するコーディング速度のうちの一又は複数を決定することを含み；さらに
フィードバック情報を送信することは、前記決定された送信構成に基づいてフィードバック情報及び／又はダウンリンク制御チャネルを送信することを含む、
請求項１に記載の方法。
【請求項６】
前記取得した情報に基づいて前記送信パラメータを決定することは：
前記無線通信機器が制限付き測定パターンを使用しているかどうかを決定すること（６０４）と；さらに
前記無線通信機器が制限付き測定パターンを使用しているかどうか及び前記取得した情報に基づいて、前記送信構成を決定することと
を含む、請求項１に記載の方法。
【請求項７】
アップリンク送信に対するフィードバック情報を、前記決定された送信構成を使用する前記一又は複数の無線通信機器に送信することは、制限付き測定パターンによるダウンリンク測定に対して示されたサブフレームで前記決定された送信構成を使用して送信することをさらに含む、請求項１に記載の方法。
【請求項８】
前記取得した情報に基づいて前記送信パラメータを決定することは：
前記無線通信機器が受ける干渉の量に関連する干渉条件が満たされることを決定すること（６０６）と；さらに
前記干渉条件が満たされているかどうか及び前記取得した情報に基づいて前記送信構成を決定することと
を含む、請求項１に記載の方法。
【請求項９】
前記干渉条件は、前記第１のネットワークノード又は前記無線通信機器によって実施される無線測定に関連する、請求項８に記載の方法。
【請求項１０】
前記干渉条件は、前記第２のセルが前記無線機器の属さないクローズドサブスクライバグループにサービス提供しているかどうかに関連する、請求項８に記載の方法。
【請求項１１】
前記干渉条件は、前記無線通信機器が前記第１のネットワークノードに関連するセルのセルレンジエクスパンションゾーンの範囲内で動作しているかどうかに関連する、請求項８に記載の方法。
【請求項１２】
前記決定された送信構成は第１の送信構成を含み、前記方法は：
前記第２のセルにサービス提供しているネットワークノードに前記第１の送信構成を示す情報を送信すること（６１４）と；
前記送信された情報に応答して、前記第１の送信構成とは異なる第２の送信構成を使用する前記第２のセルにサービス提供する前記ネットワークノードを構成することと；また
前記第２の送信構成を使用して前記第２のセル内の情報を送信することと
をさらに含む、請求項１に記載の方法。
【請求項１３】
前記無線通信機器は複数の無線通信機器の１つを含み；
前記ダウンリンク制御チャネルは各々がそれぞれの無線通信機器に関連する複数のダウンリンク制御チャネルの１つを含み；
前記取得した情報に基づいて前記送信構成を決定することは：
干渉条件が満たされる第１の無線通信機器群を特定することと；
前記取得した情報に基づいて、前記第１の群内の無線通信機器に関連するダウンリンクチャネルに対して使用する第１の送信構成を決定することと
を含み、さらに
前記フィードバック情報を送信することは：
前記第１の送信構成を使用する前記第１の無線通信機器群にフィードバック情報を送信することと；また
第２の送信構成を使用する前記第２の無線通信機器群にフィードバック情報を送信することと
を含む、請求項１に記載の方法。
【請求項１４】
無線通信システムで通信を構成するための装置（７００）であって、前記装置は：
前記装置によってサービス提供される第１のセル内の無線通信機器にフィードバック情報を送信するように構成された送信機（７１０）と；さらに
第２のセル内で使用されるオールモストブランクサブフレーム（ＡＢＳ）構成に関連する情報を取得し；
前記取得した情報に基づいて、一又は複数の無線通信機器にフィードバック情報を伝達するダウンリンク制御チャネルに対して、送信出力レベル、送信フォーマット、又はその両方を含む送信構成を決定し；
前記決定された送信構成を使用する前記一又は複数の無線通信機器に、アップリンク送信のフィードバック情報を送信する
ように構成されたプロセッサ（７０２）と
を含む装置。
【請求項１５】
前記ＡＢＳの種類はＭＢＳＦＮ  ＡＢＳであって、前記候補条件は前記第２のセル内にＡＢＳサブフレームを含む前記第１のセル内の前記一又は複数の候補サブフレームに関連する、請求項１に記載の装置。
【請求項１６】
前記プロセッサは、
前記取得した情報に基づいて前記ダウンリンク制御チャネルに対して正の出力マージンを決定することと；また
前記送信出力が前記出力マージン及び基準送信出力の和に等しくなるように前記ダウンリンク制御チャネルに対して送信出力を決定することと
によって前記取得した情報に基づいて前記ダウンリンク制御チャネルに対する前記送信構成を決定するように構成されている、請求項１４に記載の装置。
【請求項１７】
前記ダウンリンク制御チャネルは、複数のフィードバックチャネルグループの１つにそれぞれ割り当てられる複数のフィードバックチャネルの１つを含み、前記プロセッサは：
前記取得した情報に基づいて前記フィードバックチャネルの各々に含まれるフィードバック制御チャネルの数を決定することによって、前記取得した情報に基づく前記送信構成を決定し；さらに
第１のフィードバックチャネルグループ内のすべてのチャネルからフィードバック情報を多重化することによってフィードバック情報を送信する
ように構成される、請求項１４に記載の方法。
【請求項１８】
前記プロセッサは：
前記取得した情報基づいて前記送信構成を決定することは、前記ダウンリンク制御チャネルに対する拡散率の大きさ、前記フィードバック情報に対して使用する直交周波数分割多重（ＯＦＤＭ）シンボルの数、前記ダウンリンク制御チャネルに対する制御チャネルエレメント（ＣＣＥ）の数、変調及びコーディングスキーム、又は前記ダウンリンク制御チャネルに対するコーディング速度のうちの一又は複数を決定することを含み；さらに
フィードバック情報を送信することは、前記決定された送信構成に基づいてフィードバック情報及び／又はダウンリンク制御チャネルを送信することを含む
ように構成される、請求項１４に記載の装置。
【請求項１９】
前記プロセッサは、制限付き測定パターンによるダウンリンク測定に対して示されたサブフレームで前記決定された送信構成を使用して送信することによって、アップリンク送信に対するフィードバック情報を、前記決定された送信構成を使用する前記一又は複数の無線通信機器に送信するように構成される、請求項１４に記載の装置。
【請求項２０】
前記プロセッサは、前記取得した情報に基づいて：
前記無線通信機器が制限付き測定パターンを使用しているかどうかを決定することと；さらに
前記無線通信機器が制限付き測定パターンを使用しているかどうか及び前記取得した情報に基づいて、前記送信構成を決定することと
によって、前記送信構成を決定するように構成されている、請求項１４に記載の装置。
【請求項２１】
前記プロセッサは、前記取得した情報に基づいて：
前記無線通信機器が受ける干渉の量に関連する干渉条件が満たされることを決定することと；さらに
前記干渉条件が満たされているかどうか及び前記取得した情報に基づいて、前記送信構成を決定することと
によって、前記送信構成を決定するように構成されている、請求項１４に記載の装置。
【請求項２２】
前記干渉条件は、前記装置又は前記無線通信機器によって実施される干渉測定に関連する、請求項２１に記載の装置。
【請求項２３】
前記干渉条件は、前記第２のセルが前記無線機器の属さないクローズドサブスクライバグループにサービス提供しているかどうかに関連する、請求項２１に記載の装置。
【請求項２４】
前記干渉条件は、前記第２のセルが前記無線機器の属さないクローズドサブスクライバグループにサービス提供しているかどうかに関連する、請求項２１に記載の装置。
【請求項２５】
前記決定された送信構成は第１の送信構成を含み；
前記プロセッサは、前記第２のセル内に送信を構成するため、ネットワークノードによって使用される前記第２のセルにサービス提供する前記ネットワークノードに前記第１の送信構成を示す情報を送信するようにさらに構成されている、請求項１４に記載の装置。
【請求項２６】
前記無線通信機器は複数の無線通信機器の１つを含み；
前記ダウンリンク制御チャネルは各々がそれぞれの無線通信機器に関連する複数のダウンリンク制御チャネルの１つを含み；
前記プロセッサは、前記取得した情報に基づいて：
干渉条件が満たされる第１の無線通信機器群を特定することと；
前記取得した情報に基づいて、前記第１の群内の無線通信機器に関連するダウンリンクチャネルに対して使用する第１の送信構成を決定することと
によって前記送信構成を決定するように構成されており；さらに
前記プロセッサは：
前記第１の送信構成を使用する前記第１の無線通信機器群にフィードバック情報を送信することと；また
第２の送信構成を使用する前記第２の無線通信機器群にフィードバック情報を送信することと
によって前記フィードバック情報を送信するように構成されている、請求項１４に記載の装置。
【請求項２７】
無線送信を構成するための方法であって、前記方法は：
第１のセルにサービス提供している第１のネットワークノードで、第２のセルで使用されるオールモストブランクサブフレーム（ＡＢＳ）構成の種類に関する情報を取得することと；
前記取得した情報に基づいて、一又は複数の無線通信機器にフィードバック情報を伝達するダウンリンク制御チャネルであって、前記第２のセル内で任意のＡＢＳサブフレームに重ならない前記第１のセル内の少なくとも１つのサブフレームで送信されることになっているダウンリンク制御チャネルに対して、送信出力レベル、送信フォーマット、又はその両方を備える送信構成を決定することと；さらに
アップリンク送信に対するフィードバック情報を、前記決定された送信構成を使用する前記一又は複数の無線通信機器に送信することと
を含む方法。
【請求項２８】
無線通信システムで通信を構成するための装置（７００）であって、前記装置は：
前記装置によってサービス提供される第１のセル内の無線通信機器にフィードバック情報を送信するように構成された送信機（７１０）と；さらに
第１のセルにサービス提供する第１のネットワークノードで、第２のセル内で使用されるオールモストブランクサブフレーム（ＡＢＳ）構成の種類に関連する情報を取得し；
前記取得した情報に基づいて、一又は複数の無線通信機器にフィードバック情報を伝達するダウンリンク制御チャネルであって、前記第２のセル内で任意のＡＢＳサブフレームに重ならない前記第１のセル内の少なくとも１つのサブフレームで送信されることになっているダウンリンク制御チャネルに対して、送信出力レベル、送信フォーマット、又はその両方を備える送信構成を決定し；さらに
前記決定された送信構成を使用する前記一又は複数の無線通信機器に、アップリンク送信のフィードバック情報を送信する
ように構成されたプロセッサ（７０２）と
を含む装置。
【発明の詳細な説明】
【技術分野】
【０００１】
優先権の主張
本願は、そのすべての開示内容が参照によって本願に組み込まれる、「異種配置におけるＨＡＲＱフィードバック情報の高信頼性受信のための方法」と題する２０１２年３月１６日に出願されたＰＣＴ特許出願番号ＰＣＴ／ＣＮ２０１２／０７２４２９の利点を主張するものである。本開示は概して無線通信に関し、より詳しくは無線送信の信頼性の向上に関する。
【背景技術】
【０００２】
近年通信サービスの利用及び可用性が劇的に向上したことにより、無線通信ネットワークに対する需要が著しく増大している。カバレッジ、スループット、及び信頼性に対する要件は絶えず増大しているため、無線ネットワークの設計及び構成における多くの開発が加速されている。その１つの例が、従来のマクロセル基地局よりも低い最大送信出力レベルを提供する様々な種類の「低出力」ノードの配置によって、従来のマクロセル基地局が補完される「異種」ネットワークの配置であった。これらの低出力ノードは多くの場合、従来のマクロセルアクセスノードよりも小型で、製造においても運用においてもより安価である。
【０００３】
異種配置は、ネットワーク密度を高め、トラフィックのニーズ及び動作環境の変化に適合するための機構を提供する。しかしながら、異種配置は、効率的なネットワーク運用を妨げ、ユーザーの使用感を低下させることがある特有の問題を引き起こす。一般的に低出力ノードに関連した送信出力の低下は、干渉に対する感受性を高める結果となることがある。加えて、異種配置における大型セルと小型セルの混在は、異なるセルで出力能力が非対称になる結果、その他の問題を引き起こすことがある。その結果、異種配置及び他の高度なネットワークでのセル間干渉を低減する効果的な解決策が必要となっている。
【発明の概要】
【０００４】
本開示に基づいて、無線通信に関連する特定の欠点及び問題点は、大幅に低減又は除去される。具体的には、無線通信サービスを提供するためのある機器及び技術が説明される。
【０００５】
本開示の一実施形態に基づいて、無線送信を構成する方法は、第１のセルにサービス提供する第１のネットワークノードで、第２のセルで使用されるオールモストブランクサブフレーム（ＡＢＳ）構成の種類に関する情報を取得することを含む。方法はまた、取得した情報に基づいて、制限付き測定パターンで一又は複数の候補サブフレーム内の一又は複数の無線通信機器にフィードバック情報を伝達するダウンリンク制御チャネルに対して、送信出力レベル、送信フォーマット、又はその両方を備える送信構成を決定することを含む。方法はまた、決定された送信構成を使用する前記一又は複数の無線通信機器に、アップリンク送信に対するフィードバック情報を送信することを含む。
【０００６】
本開示のある実施形態によってもたらされる重要な技術的利点には、無線通信の信頼性の向上が含まれる。特定の実施形態は、無線通信機器が、特に異種ネットワークで受けるセル間干渉を低減することができる。このような実施形態は、送信エラーの回数を低減すること及び／又は無線送信が成功裏に受信される可能性を高めることができる。加えて、特定の実施形態では、干渉セルのスループットに対する影響を最小限に抑えたまま、干渉の低減が実現可能である。本発明の他の利点は、以下の図面、明細書及び特許請求の範囲から当業者には容易に明らかになるであろう。さらに、具体的な利点は上記に列挙されているが、種々の実施形態は列挙された利点のすべて、一部を含むこと、或いは何も含まないことがある。
【０００７】
本発明及びその利点をより完璧に理解するため、添付図面と併せて、以下の説明を参照する。
【図面の簡単な説明】
【０００８】
【図１Ａ】説明されている解決策が実装される無線通信システムの特定の実施形態を図解している。
【図１Ｂ】説明されている解決策が実装される無線通信システムの特定の実施形態を図解している。
【図１Ｃ】説明されている解決策が実装される無線通信システムの特定の実施形態を図解している。
【図２Ａ】マルチキャストブロードキャスト単一周波数ネットワーク（ＭＢＳＦＮ）オールモストブランクサブフレーム（ＡＢＳ）として構成されたサブフレームに対する送信パターンの実施例を示す。
【図２Ｂ】非ＭＢＳＦＮ  ＡＢＳサブフレームとして構成されたサブフレームに対する送信パターンの実施例を示す。
【図３】実施例のフレーム構成に従うＭＢＳＦＮ構成可能なサブフレームを示す図である。
【図４】実施例のハイブリッド自動再送要求（ＨＡＲＱ）スキームに従うＨＡＲＱシグナリングに対するタイミングを図解している。
【図５】ダウンリンク送信を保護するために使用されうる例示的なオールモストブランクサブフレーム（ＡＢＳ）パターンのタイミングに対する、例示的なＨＡＲＱ下でのＨＡＲＱシグナリングのタイミングを図解している。
【図６Ａ】干渉セルのＡＢＳ構成に基づいて、あるダウンリンク送信に対して使用する送信構成の決定において、無線アクセスネットワークノードの特定の実施形態の実施例の動作を示すフロー図である。
【図６Ｂ】干渉セルのＡＢＳ構成に基づいて、あるダウンリンク送信に対して使用する送信構成の決定において、無線アクセスネットワークノードの特定の実施形態の実施例の動作を示すフロー図である。
【図７】無線アクセスノードの実施例の実施形態の内容を図解するブロック図である。
【発明を実施するための形態】
【０００９】
図１Ａは、一又は複数の無線通信機器２０に通信サービスを提供する無線通信システム１０を図解している。無線通信システム１０は、特定の地理的エリア内の通信サービスに無線アクセスを提供するアクセスネットワーク３０、及び無線通信システム１０内で情報のバックホール配信を提供するコアネットワーク４０を含む。アクセスネットワーク３０は、ある実施形態で、複数の異なる種類の無線アクセスノード（例えば、基地局３２及び低出力ノード３４の双方）を含む複数の無線アクセスノードを含む。各無線アクセスノードは一又は複数のセル５０にサービスを提供する。セル５０が近接している（及び重なる可能性がある）ため、第１のセル５０（本明細書では「ビクティムセル」と呼ぶ）内で動作する無線通信機器２０は、ビクティムセルに重なる又は近接する第２のセル５０（本明細書では「アグレッサセル」と呼ぶ）内で発生する送信によって干渉を受けることがある。このアグレッサセルは、ビクティムセルとして同一の無線アクセスノードによってサービス提供されること、又は別の無線アクセスノードによってサービス提供されることがある。
【００１０】
加えて、上述のように、アクセスネットワーク３０は、異なる出力レベルで送信する無線アクセスノードが配備される異種ネットワークを表すことがある。無線アクセスノードが干渉セルにサービスを提供するときよりも高い出力を使用する無線アクセスノードによってビクティムセルがサービス提供される場合には、例えば図１Ａに関して、ビクティムセルが低出力ノード３４の１つによってサービス提供され、且つアグレッサセルが基地局３２の１つによってサービス提供される場合には、これはより深刻な干渉の問題を引き起こすことがある。
【００１１】
このような干渉の問題は、ある種の低出力ノード３４を利用する異種ネットワークに一般的に実装される特定の解決策によって、さらに悪化することがある。例えば、図１Ｂは、一又は複数の低出力ノード３４がクローズドサブスクライブドグループ（ＣＳＧ）を利用するように構成されているときに、無線通信システム１０のある実施形態に起こりうる問題を図解している。図１Ｂの実施例では、一又は複数の低出力ノード３４はＣＳＧを利用するように構成されている。ＣＳＧの利用により、低出力ノード３４は「クローズドサブスクライバグループ」の一部となる特定の認定ユーザーに対してサービスへのアクセスを制限することができる。ＣＳＧで構成された無線アクセスノードは、ＣＳＧのメンバである無線通信機器２０に通信サービスを提供するが、当該ノードのＣＳＧのメンバではない無線通信機器２０へのサービスは拒否する。例えば、職場で従業員にサービスを提供するため使用者によって操作されるピコセルは、その会社のすべての従業員の無線通信機器２０を含むＣＳＧで構成されてもよい。ＣＳＧを使用することにより、この低出力ノード３４は、その会社の従業員に対して隣接する基地局３２によって提供されるものを超える付加的な又はより良いサービスカバレッジを提供しうるが、エリア内の非従業員がピコセルの送信、受信、又は処理リソースに接続するのを防止することができる。
【００１２】
したがって、ＣＳＧ低出力ノード３４によってサービス提供されるセル５０で動作している非ＣＳＧ無線通信機器２０は、ＣＳＧ低出力ノード３４が最も近い無線アクセスノードであるとしても、ＣＳＧ低出力ノード３４を利用することができない。一方、ＣＳＧ低出力ノード３４によって行われる無線送信は、これらの非ＣＳＧ無線通信機器２０とこれらにサービス提供する他の無線アクセスノードとの間の通信に干渉することがある。しかも、非ＣＳＧ無線通信機器２０は、ＣＳＧ低出力ノード３４からサービスを得ることができないにもかかわらず、ＣＳＧ低出力ノード３４のきわめて近くに配置されることがあり、これにより非ＣＳＧ無線通信機器２０に対して著しい量の干渉を引き起こすことがある。例えば、図１Ｂに示した実施例では、無線通信機器２０ｇは低出力ノード３４ｇによってサービス提供されるＣＳＧのメンバではなく、低出力ノード３４ｇからサービスを得ることはできないものと想定されている。その代り、無線通信機器２０ｇはセル５０ｊの基地局３２ｇによってサービス提供される。その結果、ＣＳＧ低出力ノード３４ｇによってサービス提供されるセル３４ｇは、無線通信機器２０がセル３４ｇに重なるセル５０ｊの一部の中で動作している間に、アグレッサセルとして作用することがある。このアグレッサセル５０ｇからの干渉は、無線通信機器２０ｇが低出力ノード３４ｇにきわめて近いところで動作しているときには、きわめて強くなることがある。
【００１３】
特に異種ネットワークで起こりうる別の干渉の問題は、「セルレンジエクスパンション」（又は「セルレンジエクステンション」）（ＣＲＥ）の使用に関連している。図１Ｃは、一又は複数の低出力ノード３４がＣＲＥに対応するように構成されている実施例を図解している。ＣＲＥでは、セル選択／再選択は、例えば、付加的なエリア（図１ＣのＣＲＥゾーン５２で表される）を含むように低出力セルのカバレッジを拡張するパスロス又はパスゲインベースのアプローチに対する、従来の信号強度ベース（ＲＳＲＰベース）のアプローチとは異なる。特定のＣＲＥゾーン５２が大きくなればなるほど、その境界ではサービングセルの信号強度は弱くなる。これにより、隣接するマクロセルは、ＣＲＥゾーン５２内で動作している無線通信機器２０に対してアグレッサセルとして作用することがある。例えば、図１Ｃでは、基地局３２ｋによってサービス提供されるセル５０ｍは、低出力ノード３４ｋのＣＲＥゾーン５２ｋ内で動作している無線通信機器２０ｋに対してアグレッサセルとして作用することがある。したがって、一般に、図１Ａ〜１Ｃで示したように、セル間干渉は無線通信システムにおいて、特に異種配置を実装する無線通信システムにおいて、重大な懸念となることがある。
【００１４】
このようなセル間干渉から特定の種類のシグナリングを保護することは重要であろう。例えば、ＬＴＥ対応の無線通信システム１０のある実施形態は、送信エラーの訂正に関して、ハイブリッド自動再送要求（ＨＡＲＱ）機能を利用することができる。特定の実施形態では、ＨＡＲＱ機能は伝送ブロックを送信及び再送信するＮプロセスストップアンドウェイト機構を提供する。伝送ブロックを受信すると、受信機は伝送ブロックのデコードを試み、デコードが成功したかどうか及び／又は伝送ブロックの再送信が必要かどうかを示すフィードバック情報（例えば、受信の成功に対しては承認（ＡＣＫ）、或いは受信の失敗に対しては非承認（ＮＡＫ）を表す単一ビット）を送信することによって、デコード操作の結果を送信機に通知する。アグレッサセルからの干渉によって、この種のフィードバック情報が成功裏に送信されることが妨げられる場合には、かなり多数の不必要な再送信が発生すること及び／又は誤って受信された送信が再送信されないことがありうる。
【００１５】
加えて、ＨＡＲＱはまた、第１のスケジュールされたアップリンク送信（例えば、初回のアクセス、ハンドオーバ後、ＲＲＣ接続完了時など）及びダウンリンクでの競合解消（ＨＡＲＱフィードバックは、競合解消メッセージでエコーバックされたメッセージ３に規定されているように、自らの識別子を検出する無線通信機器２０によってのみ送信される）の双方に関して、競合ベースランダムアクセス送信のために使用されてもよい。第１のアップリンク送信ステップ又は競合解消ステップでのＨＡＲＱの失敗は、例えば、当該の無線通信機器２０によるセル無線ネットワーク一時識別子（Ｃ−ＲＮＴＩ）の検出の失敗、又は同一のＣ−ＲＮＴＩを別の無線通信機器２０に誤って割り当てることなどを引き起こすことがある。
【００１６】
無線通信システム１０のある実施形態は、送信の一部又はすべてに対して「同期ＨＡＲＱ」を利用する。例えば、ＬＴＥ実装は、アップリンク共有チャネル（ＵＬ−ＳＣＨ）上でアップリンクユーザーデータ送信に対して同期ＨＡＲＱを使用して、物理ハイブリッド自動再送要求指示チャネル（ＰＨＩＣＨ）上でのダウンリンクにＨＡＲＱフィードバック情報を提供する。同期ＨＡＲＱは、同期ＨＡＲＱフィードバック及び同期再送信を含む。このような実施形態では、フィードバック情報のダウンリンク送信及び任意のアップリンク送信のためのタイムインスタンツは、アップリンク送信のためにスケジューリングされたサブフレームに基づいて固定されており、無線アクセスノード及び当該の無線通信機器２０の双方に対して既知である。その結果、このＨＡＲＱモードで動作している場合には、ＨＡＲＱプロセスナンバの信号伝達が不要になることがある。再送信の最大回数は無線通信機器２０ごとに設定されてもよい。同期ＨＡＲＱの運用の実施例を図４に示す。
【００１７】
無線通信システム１０の特定の実施形態では、アグレッサセルでの送信は、これらのセルにサービス提供する無線アクセスノードによって行われるダウンリンク送信を制限する所定の送信パターンによって制約されることがある。これらの送信パターンは、当該のセルでダウンリンク送信を行うために使用される時間及び／又は周波数リソースを制限することがある。その結果、これらの送信パターンは、別の時間及び／又は周波数リソースのアグレッサセルによる干渉からビクティムセルを保護することができる。
【００１８】
例えば、無線通信システム１０は、あるサブフレームの間に最小量のシグナリングを送信するこれらの無線アクセスノードをもたらすオールモストブランクサブフレーム（ＡＢＳ）を利用する、無線アクセスノードを構成することができる。特定の実施形態では、ＡＢＳパターンは、当該セル５０に対して、低出力及び／又は低送信アクティビティサブフレーム（例えば、少ない数の変調シンボルが送信される或いはデータ又はシグナリングの量において他の何らかの減少が起こるサブフレーム）を定義する。例えば、潜在的なアグレッサセルに対するＡＢＳパターンは、アグレッサセルでユーザーデータが送信されていない間に任意の数のサブフレームを指定することができるが、当該サブフレームの間に制御チャネル情報が送信されていることがある。特定の実施形態では、ＡＢＳパターンは無線アクセスノード間で（例えば、Ｘ２インターフェースを介して）交換可能である。
【００１９】
さらに、特定の実施形態では、アグレッサセルによって引き起こされるセル間干渉は、マルチキャストブロードキャスト単一周波数ネットワーク（ＭＢＳＦＮ）サブフレームとしても構成される、これらのＡＢＳサブフレームの間に大幅に低減可能である。ある実施形態では、ＭＢＳＦＮサブフレームは非ＭＢＳＦＮ領域とＭＢＳＦＮ領域とに分割される。例えば、非ＭＢＳＦＮ領域は、非ＭＢＳＦＮ領域の長さが１つ又は２つのシンボルである（例えば、ＤＬリソースブロックの数が１０を超えるときには、１つのシンボルが１つ又は２つのセル固有ポートと共に使用されることがある）ＭＢＳＦＮサブフレームの中で、最初の１つまたは２つの直交周波数分割多重（ＯＦＤＭ）シンボルに及ぶことがある。このような実施形態では、ＭＢＳＦＮサブフレームの中のＭＢＳＦＮ領域は、非ＭＢＳＦＮ領域の一部を構成しないＯＦＤＭシンボルとして定義されることがある。ＭＢＳＦＮサブフレームの一部は、物理マルチキャストチャネル（ＰＭＣＨ）送信などのマルチキャスト送信を実行するが、その名称にもかかわらず、すべてのＭＢＳＦＮサブフレームがこのような送信を含むわけではない。マルチキャスト送信のないＭＢＳＦＮサブフレームは、本明細書では「ブランクＭＢＳＦＮサブフレーム」と呼ばれる。
【００２０】
それにもかかわらず、ブランクＭＢＳＦＮサブフレームの中であっても、ある種のシグナリングは非ＭＢＳＦＮ領域の一部の中で送信されることがある。例えば、ＬＴＥネットワークでは、共通参照信号（ＣＲＳ）はブランクＭＢＳＦＮサブフレームの非ＭＢＳＦＮ領域内で、すなわち第１のシンボル内で送信されてもよい。しかしながら、非ＭＢＳＦＮサブフレーム内で構成されるＡＢＳ（「非ＭＢＳＦＮ  ＡＢＳ構成」）とは異なり、ブランクＭＢＳＦＮサブフレームの中で構成されるＡＢＳ（「ＭＢＳＦＮ  ＡＢＳ構成」）は、ある種の情報（例えば、ＬＴＥネットワークのＣＲＳ）はＭＢＳＦＮサブフレームのＭＢＳＦＮ領域に送信されないという事実によって、セル間干渉が減少する結果となることがある。無線通信システム１０の特定の実施形態で使用されうるＭＢＳＦＮ  ＡＢＳ構成の実施例に対するサブフレームの図は図２Ａに概略的に図解されており、一方特定の実施形態で使用されうる非ＭＢＳＦＮ  ＡＢＳ構成の実施例に対するサブフレームの図は図２Ｂに概略的に図解されている。図２Ａ及び２Ｂの実施例では、２つの送信アンテナポートは、第１のポート（「Ｒ０」で表示）及び第２のポート（斜交線で表示）に対して示された送信と共にＣＲＳに対して使用されることが想定されている。図２Ａ及び２Ｂからわかるように、潜在的なアグレッサセルがＭＢＳＦＮ  ＡＢＳで構成される場合には、送信は非ＭＢＳＦＮ  ＡＢＳで構成される場合よりもサブフレーム当たりより少ないシンボル数で起こり、結果的にＭＢＳＦＮ  ＡＢＳで構成されるアグレッサセルからの全体的な干渉は減少する。
【００２１】
しかしながら、すべてのダウンリンク（ＤＬ）サブフレームがＭＢＳＦＮ構成可能なわけではない。図３は、ＦＤＤが利用される場合、ＭＢＳＦＮ構成がロングタームエボリューション（ＬＴＥ）ネットワークの３ＧＰＰ  ＴＳ３６．３３１仕様書の下でどのように制約されるかの実施例を示している。図３に示すように、一部のシステム情報はこれらのサブフレームで送信される必要があるため、ＭＢＳＦＮはＦＤＤシステム内のサブフレーム＃０、＃４、＃５、又は＃９で構成されえないことがある。したがって、このような実施形態では、サブフレーム＃１、＃２、＃３、＃６、＃７、及び＃８はＭＢＳＦＮサブフレームで構成されえない。図３に示したＦＤＤ制約とは対照的に、ＴＤＤ  ＬＴＥシステムでは、ＭＢＳＦＮに対してサブフレーム＃３、＃４、＃７、＃８及び＃９のみが構成されうる。より多くのサブフレームを保護するため、ＭＢＳＦＮ及び非ＭＢＳＦＮ  ＡＢＳの混合を使用することが可能であるが、ＭＢＳＦＮ及び非ＭＢＳＦＮ  ＡＢＳサブフレームの混合は、不正確なセル状態情報のレポート、高度な受信機を備えた無線通信機器２０に対する効率の低い復調アルゴリズム、ネットワーク構成上の不必要な制約、及びアグレッサセルでのスループットの低下、などの他の問題を生む可能性がある。加えて、利用可能なＭＢＳＦＮサブフレームの一部は、干渉の解除以外の目的で使用されることが必要になることがある。その結果、無線通信システム１０は、保護することが必要であるか保護することが望ましいビクティムセル内のすべてのダウンリンクサブフレームを保護するため、ＡＢＳに対して利用可能な十分なＭＢＳＦＮセルを有していないことがある。これは、ＭＢＳＦＮサブフレームがある時点で干渉を低減するためだけに使用されうること、及び特定の実施形態では、保護されうる期間がネットワークごとに変わりうることを意味する。
【００２２】
したがって、アグレッサセル送信パターンが構成されうる方法に関する制約は、ＭＢＳＦＮ  ＡＢＳパターンなどの送信パターンを使用して、ビクティムセル内で必要なすべての送信リソースを干渉から保護することを不可能にすることがある。例えば、無線通信システム１０の特定の実施形態でＨＡＲＱタイミングが８ｍｓの周期に基づいていると想定すると、これはＬＴＥに対して設定されたＨＡＲＱ周期と矛盾しない。アップリンクグラントがサブフレームｎに最初に割り当てられると、ＨＡＲＱフィードバック情報（例えば、ＡＣＫ／ＮＡＫの指示）はサブフレーム（ｎ＋８ｋ）ｍｏｄ（１０）のＰＨＩＣＨチャネル上で送信される。ここでｋは任意の正の整数値であり、ｍｏｄ（．）は除算後の余りである。ｎが奇数の場合、サブフレーム１、９、７、５、及び３は、対応するＨＡＲＱプロセスに関してＡＣＫ／ＮＡＫ情報を有することになる。この場合、サブフレーム９及び５は保護が必要になるが、これらのサブフレームは図３に図解されている実施例ではＭＢＳＦＮ構成可能ではない。ｎが偶数の場合、ダウンリンクＨＡＲＱフィードバック情報は、対応するＨＡＲＱプロセスに関してサブフレーム０、８、６、４、及び２に送信される。この場合、サブフレーム０及び４は保護が必要になるが、図３の実施例の下ではどちらもＭＢＳＦＮ構成可能ではない。
【００２３】
これがどのようにして問題を引き起こすかを説明するため、図４は実施例のＨＡＲＱスキームの下でＨＡＲＱシグナリングシーケンスに対するタイミングを図解している。一方、図５は実施例のオールモストブランクサブフレーム（ＡＢＳ）パターンのタイミングに対して実施例のＨＡＲＱスキームの下でのＨＡＲＱシグナリングのタイミングを示している。より具体的には、図４は同期している実施例のＨＡＲＱスキームに対するＨＡＲＱシグナリングを図解している。同期ＨＡＲＱスキームの下では、アップリンクデータ送信とダウンリンクフィードバック送信及び／又は任意の起こりうる再送信との間のタイミングの関係性は固定されることがある。例えば、図４に示した実施例では、無線通信機器２０は特定のサブフレームの間にアップリンクデータ送信を送信し、この無線通信機器２０にサービス提供する無線アクセスノードは、アップリンク送信から決められた数のサブフレーム期間が経過した時点で応答ＨＡＲＱフィードバック送信を送信する。例示的な実施例では、ＨＡＲＱフィードバック送信は対応するアップリンク送信から４サブフレーム後に行われ、ＨＡＲＱラウンドトリップタイム（ＲＴＴ）は８サブフレームである。アグレッサセルで使用されるＭＢＳＦＮ  ＡＢＳ構成は８サブフレーム周期と一致しないことがあるため（例えば、図３に示したように）、応答ダウンリンク送信が起こりうるサブフレームは、アグレッサセルのＡＢＳ構成によって保護されていない、又は保護が少ないサブフレームを含みうる。
【００２４】
このようなシナリオの実施例を図５に示す。具体的には、図５は、ビクティムセルで起こりうるＨＡＲＱシグナリングとアグレッサセルで可能なＡＢＳ構成との間のタイミングの関係の例を示す。ビクティムセル内の無線通信機器２０がＰＨＩＣＨ送信を成功裏に受信及びデコードする可能性がある場合には、アグレッサセル内のＡＢＳサブフレーム又は他の何らかの機構を有するビクティムセル内のＰＨＩＣＨ送信を保護することが必要になることがある。図５の実施例では、アグレッサセル内でＭＢＳＦＮ  ＡＢＳサブフレームによる保護を必要とするビクティムセル内のサブフレームが「保護されるサブフレーム」と書かれた行に表示されている。図５が示すように、この実施例の構成では、ＭＢＳＦＮはこれらのサブフレームでは構成されえないため、無線フレーム＃０のサブフレーム＃９及び無線フレーム＃２のサブフレーム＃５は、ＭＢＳＦＮ  ＡＢＳサブフレームによって保護することはできない。その結果、ＰＨＩＣＨ送信の一部のみがＭＢＳＦＮ  ＡＢＳサブフレームによって保護可能となり、ＭＢＳＦＮサブフレームに対する構成の制約により、一部のＰＨＩＣＨ送信は確実に検出されないことがある。図５に示すように、使用されるＡＢＳ構成の種類によっては、アグレッサセル内のＡＢＳ構成は、ＰＨＩＣＨ送信又は他の種類のダウンリンク送信をビクティムセル内で行われなければならないすべてのサブフレームを保護するのに十分な機構ではないことがある。
【００２５】
これは、当該のダウンリンク送信（例えば、ＰＨＩＣＨ上で送信されるＨＡＲＱフィードバック情報）の周期、及びビクティムセルでのダウンリンク送信を保護するための適切な干渉条件をもたらす送信パターン（例えば、ＭＢＳＦＮ  ＡＢＳパターン）の周期との不一致の結果として、特定の実施形態で起こりうるより一般的な問題の例である。アグレッサセルに対して構成されるＡＢＳパターン又は他の送信パターンを単純に生かすことによって、ビクティムセル内のダウンリンク送信の一部を保護することは可能であるが、この方法では、特にある種のＡＢＳ構成では、ビクティムセル内のすべてのダウンリンク送信を保護することができないことがある。一般的に、アグレッサセルによる干渉から保護することができる時間及び／又は周波数リソースに（例えば、ＭＢＳＦＮ／非ＭＢＳＦＮ、サイクリックプレフィックス構成、干渉条件、ネットワーク構成、機器の動作状態などのサブフレームの種類による）制限があり、同時に（同期ＨＡＲＱのタイミングの制約により）ビクティムセル内で特定のダウンリンク送信を行わなければならない所定の時点が存在する場合には、これらの所定の時点はダウンリンク送信に対して必要となるかもしれないすべてのサブフレームを完全には包含できないことがある。したがって、干渉から保護されうるサブフレームのパターンとこのような保護を必要とするダウンリンク送信との間の周期の不一致を示す無線通信システム１０の実施形態では、付加的な策を講じることなく保護を必要とするすべてのダウンリンク送信を保護できないことがある。
【００２６】
したがって、ＭＢＳＦＮ  ＡＢＳは、ＭＢＳＦＮ  ＡＢＳとして構成されるサブフレームの間に行われるダウンリンクフィードバック送信に対して効果的な干渉保護を提供することができるが、構成の制限によりすべてのサブフレームがＭＢＳＦＮ  ＡＢＳを使用して保護されることが不可能になることがある。しかも、ＭＢＳＦＮ  ＡＢＳ構成と非ＭＢＳＦＮ  ＡＢＳ構成との混合には欠点がある。その結果、ＭＢＳＦＮ  ＡＢＳがアグレッサセル内で使用される場合であっても、ＭＢＳＦＮ  ＡＢＳとして構成されえないサブフレーム内のシグナリングは失われること或いは誤って受信されることがある。
【００２７】
この問題を改善するため、無線通信システム１０の特定の実施形態は、ある種のＡＢＳ構成（例えば、ＭＢＳＦＮ  ＡＢＳ）がアグレッサセル内で使用される場合、ビクティムセル内のある種のダウンリンク送信に対して使用される送信構成を修正することがある。特定の実施形態では、送信構成に対する修正は、当該ダウンリンク送信に対する送信出力、送信フォーマット、或いはその両方に対する調整を含むことがある。以下でさらに詳細に説明されるように、これは、これらの送信がアグレッサセル内のＭＢＳＦＮ  ＡＢＳサブフレームに合わせられていない場合であっても、ダウンリンク送信が成功裏に受信される可能性を高めることがある。
【００２８】
特定の実施形態では、ダウンリンク送信は、第２のセルのＡＢＳでの送信に関連する候補条件を満たす制限付き測定パターンで、一又は複数の候補サブフレームの間に行われるように意図されてもよい。特定の実施形態では、これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される制限付き測定パターンによって特定されるサブフレーム）、又はこれら２つの何らかの組み合わせを表すことがある。代替的に、幾つかの実施形態では、候補サブフレームは、アグレッサセル内での送信及び／又は無線通信機器２０の受信機の種類に関連する強い干渉に対処する無線通信機器２０の能力（例えば、ある種の干渉に対処する又はこれを軽減する能力の目安）に依存することがある。さらに一般的に、候補サブフレームは、当該のサブフレームの間にアグレッサセル内で送信を行う任意の好適な方法に関連する候補条件を満たす、任意のサブフレームを表すことがある。
【００２９】
追加的に又は代替的に、幾つかの実施形態では、ダウンリンク送信は、干渉保護を提供しうる任意の保護されたサブフレーム（例えば、第２のセル内の任意のＡＢＳサブフレーム）と一致しないあるいは重ならない、少なくとも１つのサブフレーム内で送信されることが必要となることがある。このような実施形態では、本明細書で説明されている送信構成の使用は特に有益となることがある。
【００３０】
ここで、図１Ａに示した実施例の実施形態に戻ると、無線通信システム１０の例示的な実施形態は、無線通信システム１０によってサービス提供される複数のセル５０の中で動作する一又は複数の無線通信機器２０に無線通信サービスを提供する。無線通信システム１０は、限定するものではないが、任意のロングタームエボリューション（ＬＴＥ）、ワールドワイド・インターオペラビリティ・フォー・マイクロウェーブ・アクセス（ＷｉＭＡＸ）、広帯域符号分割多元接続（ＷＣＤＭＡ（登録商標））通信規格などを含む、任意の好適な種類の及び／又は任意の適切な通信規格に従う通信に対応してもよい。
【００３１】
無線通信機器２０は、無線通信システム１０と無線的に情報をやりとりすることができる任意の機器を表す。無線通信機器２０の実施例は、無線電話、パーソナルデジタルアシスタント（ＰＤＡ）、ラップトップコンピュータ、及び通信システム１０による使用に適した他の任意の可搬型通信機器など、従来の通信機器を含む。例えば、特定の実施形態では、無線通信機器２０はＬＴＥユーザー機器（ＵＥ）の例を表す。加えて、特定の実施形態では、無線通信機器２０はまた、自動化機器又はマシン型通信（ＭＴＣ）が可能な機器を表すこともある。例えば、無線通信機器２０は、無線計測器又はセンサ、デジタル掲示板、無線対応家電（例えば、洗濯機、温風機、デジタルビデオレコーダ（ＤＶＲ））、又はアクセスネットワーク３０との無線通信が可能な他の任意の機器を表すことがある。
【００３２】
アクセスネットワーク３０は、無線通信機器２０と無線的に通信を行い、無線通信機器２０とコアネットワーク４０との間のインターフェースとして働く。アクセスネットワーク３０は、無線アクセスネットワーク及び／又は、コアネットワーク４０に無線又はエアインターフェースを提供する機能を負う任意の要素を表す又は含むことがある。アクセスネットワーク３０は、無線通信機器２０と無線的に通信することができる一又は複数の無線アクセスノードを含む。図１Ａの実施例の実施形態では、これらの無線アクセスノードは複数の基地局３２及び低出力ノード３４を含む。アクセスネットワーク３０はまた、基地局コントローラ、アクセスサーバ、ゲートウェイ、リレー、リピータ、及び／又は基地局３２によって使用される無線チャネルの管理、ユーザー認証、基地局３２と他の無線アクセス要素との間のハンドオフの制御、及び／又は基地局３２の相互運用の管理及びコアネットワーク４０への基地局３２の接続に好適な任意の付加的なコンポーネントを含むことがある。
【００３３】
特定の実施形態では、アクセスネットワーク３０は、複数の異なる種類の無線アクセスノードが配備される異種ネットワークを表すことがある。例えば、図１Ａの例示的な実施例では、アクセスネットワーク３０は、各々が一又は複数のセル５０にサービスを提供する複数の基地局３２、及び各々が一又は複数のセルにサービスを提供する複数の低出力ノード３４を含む。本明細書では、基地局３２によってサービス提供されるセル５０を「マクロ」セルと呼び、低出力局３４によってサービス提供されるセル５０を「マイクロ」セルと呼ぶ。特定の実施形態では、低出力局３４によってサービス提供されるマイクロセルは、図１Ａに示すように近隣基地局３２によってサービス提供される一又は複数のマクロセルと実質的に重なることがある。
【００３４】
基地局３２は、無線通信機器２０への無線通信サービスを促進するため、無線通信機器２０と無線的に通信を行う。基地局３２は、無線通信機器２０との通信を行い、無線通信機器２０をコアネットワーク４０に接続するための任意の適切な要素を含みうる。例えば、アクセスネットワーク３０及びコアネットワーク４０によって支持される通信規格に応じて、各基地局３２は、基地局、ＮｏｄｅＢ、ｅｖｏｌｖｅｄ  ＮｏｄｅＢ（ｅＮｏｄｅＢ）、無線基地局（ＲＢＳ）、又は無線通信機器２０と無線的に通信することができる他の好適な要素を表す又は含んでもよい。
【００３５】
同様に、低出力ノード３４は、無線通信機器２０への無線通信サービスを促進するため、無線通信機器２０と無線的に通信を行う。低出力ノード３４は、無線通信機器２０との通信を行い、無線通信機器２０をコアネットワーク４０に接続するための任意の適切な要素を含みうる。特定の実施形態では、低出力ノード３４は基地局３２よりも低い最大送信出力を有してもよく、基地局３２よりも低い送信出力を使用するように構成されてもよい。低出力ノード３４の実施例は、限定するものではないが、ピコ基地局、フェムト基地局、マイクロ基地局、ホームｅＮｏｄｅＢ（ＨｅＮＢ）、及び無線ローカルアクセスネットワーク（ＷＬＡＮ）アクセスポイントを含む。
【００３６】
「低出力」と呼ばれてはいるものの、低出力ノード３４は、特定の実施形態では、基地局３２と同一の物理要素を含んでもよいが、ある時点では、単純に基地局３２とは別に運用するように構成されてもよい。さらに、以下の説明は、例示を目的として、アクセスネットワークが送信出力の異なる無線アクセスノードを含む実施形態に焦点を当てているが、アクセスネットワーク３０の他の実施形態は、運用及び／又は他の機能又は特性の他の態様に関して異なる種類の無線アクセスノードを含むことがある。しかも、アクセスネットワーク３０の代替的な実施形態は、無線アクセスノードのすべてが同様または同一である同種ネットワークを表すことがある。
【００３７】
アクセスネットワーク３０内の各無線アクセスノードは、当該無線アクセスノードによってサービス提供される一又は複数のセル５０に関連している。セル５０は、対応する無線アクセスノードによってサービス提供される近接した地理的な領域を定義することができる。単純化するため、図１Ａは、各無線アクセスノードが単一のセル５０にサービス提供するように構成される実施例の実施形態を図解している。しかしながら、特定の実施形態では、無線アクセスノードは複数の異なるセル５０に対応することができる。例えば、キャリアアグリゲーション又は他のマルチキャリア機能に対応する実施形態では、特定の無線アクセスノードは、場合により同一の地理的カバレッジにより、周波数スペクトルの異なる部分のキャリアを用いる無線アクセスノードによってサービス提供されるセル５０の各々により、複数の異なるセル５０にサービス提供することができる。その結果、特定の実施形態では、第１のセル５０及び第２のセル５０は同一の無線アクセスノードによってサービス提供され、またこれらのセル５０は、同一の、重なる、又は完全に別個の地理的な領域を網羅することができる。
【００３８】
コアネットワーク４０は、アクセスネットワーク３０から他の無線通信機器２０まで、或いは地上の通信線接続又は他のネットワークを経由してコアネットワーク４０に接続されている他の通信機器まで、無線通信機器２０によって通信される音声及び／又はデータをルーティングする。コアネットワーク４０は、このような通信のルーティングに関して適切な任意の規格又は技術に対応することができる。例えば、ＬＴＥに対応している無線通信機器２０の実施形態では、コアネットワーク４０はシステムアーキテクチャエボリューション（ＳＡＥ）コアネットワークを表すことがある。コアネットワーク４０はまた、長距離伝送通信の集約、ユーザー認証、呼制御、課金を目的とした使用量の計測、又は通信サービスの提供に関連する他の機能の役割を担う。しかしながら、一般的に、コアネットワーク４０は、無線通信機器２０に対する音声及び／又はデータ通信のルーティング並びに支援に適した任意のコンポーネントを含むことがある。
【００３９】
動作時には、無線通信システム１０の無線アクセスノード（実施例の実施形態では基地局３２及び低出力ノード３４など）は、これらの無線アクセスノードによってサービス提供されるセル５０の中で動作している無線通信機器２０に無線通信サービスを提供する。セル間干渉から隣接するセル内でのダウンリンク送信の保護を支援するため、無線通信システム１０の無線アクセスノード（ここでは、図１Ａの基地局３２ａ）は、当該無線アクセスノードによってサービス提供されるセル５０内のダウンリンク送信を制限する送信パターンと共に構成されることがある。特定の実施形態では、この送信パターンは、ＭＢＳＦＮ  ＡＢＳサブフレームとして構成される一又は複数のサブフレームを含んでもよい。
【００４０】
基地局３２ａは、セル５０ａで使用されるＡＢＳ構成又は他の種類の送信パターンを示す潜在的なビクティムセル（ここでは、低出力ノード３４ａ）に連携情報を送信することがある。特定の実施形態では、連携情報は具体的に、セル５０ａ内のＡＢＳとして構成されるサブフレーム及び／又は使用されるＡＢＳサブフレームの種類（例えば、ＭＢＳＦＮ）を特定することがある。アグレッサセル内でのＡＢＳサブフレーム又は別の好適な送信パターンの使用はビクティムセル内の干渉条件を改善しうるが、特定の種類のＡＢＳ構成で使用されうるサブフレーム上の制限によって、これは結果的に不完全な解決策となる。当該の種類のＡＢＳ構成に対してＡＢＳサブフレームとして構成されえないサブフレーム内で起こる送信は、このスキーム下では保護をほとんど或いは全く受けないことがある。例えば、ＭＳＢＦＮサブフレームとして構成されえないサブフレームは、ＭＳＢＦＮ  ＡＢＳ構成下では全く保護を受けることができない。
【００４１】
その結果、無線通信システム１０の特定の実施形態は、アグレッサセル内でのＡＢＳサブフレームの使用を、ビクティムセル内でのダウンリンク送信に使用される送信構成に対する修正で補うように構成されている。これらの構成は、送信出力、送信フォーマット、またはその両方に関連することがある。その結果、低出力ノード３４ａは、基地局３２ａから受信した連携情報に照らして、その送信構成を修正するように構成されることがある。
【００４２】
説明した技術は、アグレッサセル内の特定の種類のＡＢＳ構成と共に使用されるときに最も有益となることがあるため、低出力ノード３４は基地局３２ａによって使用されるＡＢＳ構成の種類を最初に決定してもよい。無線通信システム１０のある実施形態では、基地局３２ａが特定の種類のＡＢＳ構成（例えば、ＭＢＳＦＮ  ＡＢＳ構成）を使用している場合、低出力ノード３４ａは本明細書に記載の技術のみを適用することがある。したがって、特定の実施形態では、低出力ノード３４ａは、連携情報に基づいて特定の種類のＡＢＳ構成がセル５０ａ内の基地局３２ａによって使用されるかどうかを最初に決定してもよい。
【００４３】
加えて、ある実施形態では、ダウンリンク送信に対する上述の技術のみを、低出力ノード３４ａは制限付き測定パターンによって構成された無線通信機器２０に適用してもよい。したがって、特定の無線通信機器２０（ここでは、無線通信機器２０ａ）にダウンリンク送信を構成する場合には、低出力ノード３４ａはまた、当該の無線通信機器２０が制限付き測定パターンに従って少なくとも１つの測定を実施するように構成されているかどうかを決定してもよい。
【００４４】
基地局３２ａがアグレッサセル内で特定の種類のＡＢＳ構成（例えば、ＭＢＳＦＮ  ＡＢＳ）を使用し、無線通信機器２０が制限付き測定パターンによって構成されている場合には、低出力ノード３４ａは、ダウンリンク送信を増強する出力を印加することによって、及び／又は低出力ノード３４ａよりも頑強な送信フォーマットを使用することによって、ＡＢＳ構成により提供される干渉保護を補うように決定してもよい。その結果、低出力ノード３４ａは、基地局３２のＡＢＳ構成に基づいて、セル間干渉からダウンリンク送信をさらに保護するため、無線通信機器２０ａへのダウンリンク送信のための適切な送信構成を決定することができる。
【００４５】
特定の実施形態では、低出力ノード３４ａは、上述の条件が満たされる場合、ダウンリンク送信を増強する出力を印加するように構成されてもよい。したがって、このような実施形態では、送信構成の決定は、ダウンリンク送信に対する送信出力レベルの決定を含むことがある。例えば、低出力ノード３４ａは、セル５０ａで基地局３２ａによって使用されるＡＢＳ構成の種類に基づいて、ダウンリンクチャネルに対する正の出力マージンを決定することがある。特定の実施形態では、低出力ノード３４ａは、無線通信機器２０ａが成功裏に受信する（例えば、完全に受信し成功裏にデコードする）ことを保証するのに必要となる基準送信出力を上回る出力量を推定又は決定することによって、正の出力マージンを決定してもよい。さらに、特定の実施形態では、低出力ノード３４ａは、連携情報によって示されるように、アグレッサセル内で使用されるＡＢＳ構成の種類に基づいて受信の成功を保証するのに必要となる量を決定する。
【００４６】
特定の実施形態では、低出力ノード３４ａは、上述の条件が満たされる場合、より頑強な送信のための特別な送信フォーマットを適用するように構成されてもよい。したがって、このような実施形態では、送信構成の決定は、ＡＢＳ構成に基づくダウンリンク送信に対する送信フォーマットの決定を含むことがある。より具体的には、低出力ノード３４ａは、セル間干渉をより受けにくいフォーマット、又は上述の条件が満たされる場合により頑強なフォーマットを選択してもよい。
【００４７】
１つの実施例として、低出力ノード３４ａは、ダウンリンク送信を行うために使用されるチャネルに対して、チャネルグループ内のチャネル数を修正することができる。例えば、ダウンリンク送信は、フィードバックチャネル（例えば、ＰＨＩＣＨ）上で行われるダウンリンクフィードバック送信を表すことがある。このフィードバックチャネルは、低出力ノード３４ａによって送信される幾つかのフィードバックチャネルの１つを表すことがあり、低出力ノード３４ａは、フィードバックチャネルを送信用の複数のグループに分類し、送信用の各グループ内でチャネルを多重化することがある。したがって、このような実施形態では、送信フォーマットの決定は、各グループ内で多重化されたチャネル数を変更すること及び／又はチャネルグループ数を増やすことを含んでもよい。多重化された各グループ内でチャネル数を減らすことによって、低出力ノード３４ａはアグレッサセルからの干渉に対して送信フォーマットの抵抗力を高めることができる。
【００４８】
別の実施例として、特定の実施形態では、低出力ノード３４ａは、送信に関連する拡散率に基づいてダウンリンク送信を変調してもよい。このような実施形態では、低出力ノード３４ａは、アグレッサセル内に構成されるＡＢＳの種類に基づいてダウンリンク送信を行うときに使用されるチャネルの変調に用いられる拡散率の大きさを修正してもよい。このような実施形態では、送信フォーマットの決定は、ダウンリンク送信に対する拡散率の大きさの決定を含むことがある。特定の種類のＡＢＳ構成がアグレッサセル内で使用される場合、拡散率の大きさを増すことによって、低出力ノード３４ａはアグレッサセルからの干渉に対して送信フォーマットの抵抗力を高めることができる。
【００４９】
別の実施例として、特定の実施形態では、低出力ノード３４ａは、ダウンリンク送信を行うため変調シンボルの数を変えて（例えば、直交周波数分割変調の数を変えて）使用してもよい。このような実施形態では、送信フォーマットの決定は、ダウンリンク送信を実行するための変調シンボルの数を決定することを含んでもよい。例えば、特定の実施形態では、低出力ノード３４ａは、ＭＢＳＦＮ  ＡＢＳがアグレッサセル内に構成されるときにアグレッサセルが構成される場合、ダウンリンク送信を変調するため、２個のＯＦＤＭシンボルの使用から３個のＯＦＤＭシンボルの使用に切り替えることがある。ダウンリンク送信を実行するために使用される変調シンボルの数を増やすことによって、低出力ノード３４ａはアグレッサセルからの干渉に対して送信フォーマットの抵抗力を高めることができる。
【００５０】
上記の実施例は、ダウンリンク送信がフィードバックチャネル上での送信を表す実施形態に焦点を当てているが、当該ダウンリンク送信は任意の種類の制御情報又はユーザーデータを含むこと、及び／又は任意の種類のチャネル上で送信されることがある。例えば、特定の実施形態では、ダウンリンク送信は物理ダウンリンク制御チャネル（ＰＤＣＣＨ）送信を表すことがある。このような実施形態では、低出力ノード３４ａは、制御チャネルエレメント（ＣＣＥ）の数、変調及びコーディングスキーム（ＭＣＳ）、コーディング速度、及び／又はその構成の他の側面を調整して、アグレッサセルからの干渉に対して送信フォーマットの抵抗力を高めることができる。
【００５１】
特定の実施形態では、低出力ノード３４は追加的に、干渉によりさらに劇的な手段の使用が当然とみなされる状況だけに、ダウンリンク送信構成を適用する上記技術の使用を制限することがある。したがって、特定の実施形態では、低出力ノード３４はまた、無線通信機器２０ａが受ける干渉の量に関連する一又は複数の干渉条件が送信構成の適用前に満たされるかどうかを決定してもよい。このような実施形態では、干渉条件が満たされていない場合、低出力ノード３４ａは、その送信構成をアグレッサセル内のＡＢＳ構成に適用しないように選択してもよい。
【００５２】
干渉条件は、無線通信機器２０ａが受ける実際の又は予測される干渉に、任意の適切な方法で関連することがある。例えば、干渉条件は、（図１Ｃの実施例でのように）無線通信機器２０が、ビクティムセルのセルレンジエクスパンション（ＣＲＥ）ゾーン内で動作しているかどうか、（図１Ｂの実施例でのように）無線通信機器２０ａがメンバになっていないクローズドサブスクライバグループ（ＣＳＧ）に関連する無線アクセスノードによってサービス提供されているセル内で動作しているかどうか、（無線通信機器２０ａ又は低出力ノード３４ａ自体によって実施される測定に基づいて）ある閾値レベルを超えるアグレッサセルからの干渉を検出しているかどうか、或いは上述の技術の使用が当然とみなされるような干渉を受けているかどうか、に関連することがある。
【００５３】
基地局３２ａのＡＢＳ構成に基づいて、当該のダウンリンク送信にその送信構成を適用するかどうかを決定した後、低出力ノード３４は、その適用された送信構成に基づいて、アクセスネットワーク３０内で無線通信機器２０ａ又は他の無線アクセスノードを追加的に構成することがある。例えば、低出力ノード３４ａは、当該のダウンリンク送信に関して低出力ノード３４ａによって使用される送信構成を示す無線通信機器２０ａに構成情報を送信することがある。この構成情報は、特定の送信に特有となること、或いは無線通信機器２０ａに対して低出力ノード３４ａによって行われるすべてのダウンリンク送信又は特定の種類のすべてのダウンリンク送信（例えば、すべてのＰＨＩＣＨ送信）に当てはまることがある。構成情報は、当該の送信フォーマット又は送信出力を示すことがあり、無線通信機器２０ａは示された送信フォーマットに従って、或いは示された送信出力でダウンリンク送信を受信するようにそれ自体を構成することがある。
【００５４】
加えて、基地局３２ａは、低出力ノード３４ａから受信した連携情報に基づいて、それ自体の送信構成を修正することがある。特定の実施形態では、基地局３２ａは、アグレッサセル内での送信の干渉による影響をさらに低減するため、低出力ノード３４ａによって設定される送信パラメータ（例えば、ＰＨＩＣＨのグループ番号、ＰＨＩＣＨに使用されるＯＦＤＭシンボルの数、ＰＤＣＣＨに使用されるＣＣＥの数）と同一または同様の種類の送信パラメータを修正することがある。基地局３２ａはまた、（例えば、ＰＨＩＣＨの位置を調整するため）基地局３２ａに関連するセル識別子などの基地局３２ａに関連する他のパラメータを適合して、或いは、（例えば、当該機器に対してＰＤＣＣＨの位置を調整するため）セル無線ネットワーク一時識別子（Ｃ−ＲＮＴＩ）などの基地局３２ａによってサービス提供される無線通信機器２０に関連する他のパラメータを適合して、基地局３２ａと低出力ノード３４ａとをより良く連携してビクティムセル内の干渉を低減してもよい。
【００５５】
さらに、基地局３２ａは、元のＡＢＳ構成を改善してもよい。例えば、特定の実施形態では、受信した連携情報は、ビクティムセルの送信及び／又は干渉保護の必要性に関する指標を提供し、基地局３２ａはこの情報に基づいてアグレッサセル内に構成されるＡＢＳサブフレームの数を増減することがある。ある実施形態では、連携情報は、低出力ノード３４が使用しうる送信構成が保護される予定のサブフレームを適切に保護できないため、基地局３２ａがそのＡＢＳ構成を変更することを求める低出力ノード３４ａからの要求を表すことがある。例えば、低出力ノード３４が、サービス提供しているすべて（或いは、閾値となる数又は割合）の無線通信機器２０が元のＡＢＳ構成下でビクティムセル内のダウンリンク送信を確実に受信できるように、十分に送信出力を上げることができない場合には、低出力ノード３４ａは基地局３２ａがそのＡＢＳ構成を変更するよう要求することがある。基地局３２ａはそこでＡＢＳ構成を適切に（例えば、付加的なＡＢＳサブフレームを追加して、ＭＢＳＦＮから非ＭＢＳＦＮ構成に変更することによって）変更することができる。
【００５６】
低出力ノード３４及び無線通信システム１０の他の要素が何らかの適切な構成になった後、低出力ノード３４ａは最適化された送信構成に従ってダウンリンク送信の実行を開始することができる。上述のように、ダウンリンク送信は任意の好適な種類の制御情報又はユーザーデータを表すことがある。
【００５７】
特定の実施形態では、ダウンリンク送信は、無線通信機器２０ａによってスケジュールされたアップリンク送信が低出力ノード３４ａによって成功裏に受信されたかどうかを示すフィードバック情報（例えば、ＡＣＫ／ＮＡＫビット）を伝達するフィードバック送信（例えば、ＨＡＲＱ送信）を表す。したがって、このような実施形態では、低出力ノード３４ａはアップリンク送信を行うように無線通信機器２０ａをスケジュールし、さらに、上述のように選択された送信構成（例えば、送信出力及び／又は送信フォーマット）を使用して送信されるダウンリンクフィードバック送信によってアップリンク送信に応答する。低出力ノード３４ａが同期する種類のフィードバックスキームを使用するように構成されている場合には、低出力ノード３４ａは、スケジュールされているアップリンク送信から決められた数のサブフレーム期間が経過した後に応答ダウンリンク送信を送信するように要求されることがある。このような実施形態では、フィードバックスキームのタイミング要件は、低出力ノード３４ａに対して、アグレッサセルによる干渉から保護されていない、又は保護が少ないサブフレームの間にダウンリンクフィードバック送信を送信するように、強制することがある。送信出力及び／又は送信フォーマットは、アグレッサセルによって使用されるＡＢＳ構成の種類の認識に基づいて選択されるため、低出力ノード３４ａによって使用される送信出力及び／又は送信フォーマットは、アグレッサセルによって引き起こされる干渉を克服できるよう十分に頑強なものになりうる。
【００５８】
その結果、説明されている技術に従って送信出力及び／又は送信フォーマットを選択することにより、ビクティムセル内に干渉を引き起こすアグレッサセルのＡＢＳ構成によって保護されないサブフレームの間に送信が起こる場合であっても、ビクティムセル内の無線アクセスノードはダウンリンク送信を成功裏に送信することができる。説明されている技術により、アグレッサセルセル内で使用される種類のＡＢＳ構成によってどのサブフレームが保護されうるのかという制約にかかわらず、ビクティムセルは任意のサブフレームの間に成功裏に送信を行うことができる。例えば、アグレッサセルセルがＭＢＳＦＮ  ＡＢＳ構成を使用している場合、ＭＢＳＦＮサブフレームとして構成されえないサブフレーム（図３の実施例のＬＴＥ  ＦＤＤ構成でのサブフレーム＃０、＃４、＃５、及び＃９など）内であっても、ダウンリンク送信はビクティムセル内で成功裏に行われうる。加えて、特定の実施形態では、ビクティムセルは、アグレッサＣＳＧセルがビクティムセルに重なっている又は受信機器がビクティムセルのＣＲＥ内に配置されているなど、ビクティムセル又は受信機器の干渉に対する脆弱性が増す状況下で、成功裏に送信できることがある。したがって、無線通信システム１０のある実施形態は、数多くの動作上の利点を提供することができる。しかしながら、無線通信システム１０の特定の個々の実施形態は、このような利点の一部を提供する、全く提供しない、或いは全てを提供することがある。
【００５９】
図６Ａ、６Ｂは、潜在的なアグレッサセルのＡＢＳ構成に基づいて適切な送信構成を決定する際に、アクセスネットワーク３０の無線アクセスノードに対する実施例の動作を図解するフロー図である。図６Ａ、６Ｂに図解されているステップは、必要に応じて、結合、修正、又は削除されることがある。実施例の動作に付加的なステップが追加されることもある。さらに、説明されているステップは、任意の好適な順序で実施されてもよい。
【００６０】
図６Ａの動作は、ステップ６００で、別の無線アクセスノード（この実施例では、基地局３２ａ）で使用されるオールモストブランクサブフレーム（ＡＢＳ）構成の種類に関する構成情報を取得する無線アクセスノード（この実施例では、図１Ａの低出力ノード３４ａ）により開始される。構成情報は、基地局３２ａが潜在的なアグレッサセル内で使用するように構成されているＡＢＳ構成の種類（例えば、ＭＢＳＦＮ又は別の特定の種類のＡＢＳサブフレーム）を示すことがある。
【００６１】
特定の実施形態では、低出力ノード３４ａは、基地局３２ａによって使用されるＡＢＳ構成の種類に適合するため、ビクティムセル内のあるダウンリンク送信に対して送信構成を、低出力ノード３４ａが設定又は調整（例えば、現在の送信構成、又は低出力ノード３４ａが使用するデフォルト送信構成からの切り替え）すべきかどうかを決定してもよい。したがって、低出力ノード３４ａは、基地局３２ａが特定の種類のＡＢＳ構成（例えば、ＭＢＳＦＮ  ＡＢＳサブフレームを有する構成、非ＭＢＳＦＮ  ＡＢＳサブフレームを有する構成）を使用しているかどうか決定することができ、基地局３２ａが特定の種類のＡＢＳ構成を使用している場合には、その送信構成にを単に適合することができる。例えば、図解されている実施例では、低出力ノード３４ａは、ステップ６０２で、基地局３２ａがＭＢＳＦＮ  ＡＢＳ構成を使用しているかどうか決定し、また使用している場合には、その送信構成を単に適合する。例示的な実施例では、低出力ノード３４ａはまた、ステップ６０４で、無線通信機器２０ａが  制限付き測定パターンに従って一又は複数の測定を実施するように構成されているかどうかを決定する。特定の実施形態では、低出力ノード３４ａは制限付き測定パターンを有する無線通信機器２０ａを構成する役割を担うことがあり、その場合、この決定は、低出力ノード３４ａが制限付き測定パターンを有する無線通信機器２０ａを最初に構成するときに行われてもよい。
【００６２】
加えて、特定の実施形態では、低出力ノード３４ａは、説明されている技術の使用を、ビクティムセル内の干渉又は無線通信機器２０ａが受けている干渉に対してより重要な干渉保護手段が当然とみなされる状況だけに、制限することがある。その結果、例示的な実施例では、低出力ノード３４ａは、ステップ６０６で、その送信構成に適合する前に、干渉条件が満たされているかどうかを決定する。干渉条件が満たされていない場合には、無線通信機器２０ａが制限付き測定パターンで構成されていない場合には、或いは使用されているＡＢＳ構成の種類が送信構成の適合を当然とみなさない場合には、低出力ノード３４ａは代わりに、あらかじめ構成された送信構成を使用すること、又は適切な送信構成を決定するために従来の技術を使用することがあり、動作は例えばステップ６１６に進んでもよい。
【００６３】
しかしながら、例示的な実施例でこれらの条件が満たされる場合には、低出力ノード３４ａは、基地局３２ａがＭＢＳＦＮ  ＡＢＳ構成を使用しているという事実に基づいて、ある種のダウンリンク送信に対して（この実施例では、ダウンリンクＨＡＲＱフィードバック送信に対して）使用する送信構成の決定へ進む。  特定の実施形態では、これらのダウンリンク送信は、第２のセルのＡＢＳでの送信に関連する候補条件を満たす制限付き測定パターンで、一又は複数の候補サブフレームの間に送信されてもよい。追加的に又は代替的に、幾つかの実施形態では、ダウンリンク送信は、干渉保護を提供しうる候補サブフレームの特定の組と一致しない少なくとも１つのサブフレーム内で送信されることが必要となることがある。このような実施形態では、本明細書で説明されている送信構成の使用は特に有益となることがある。
【００６４】
上記で説明したように、送信構成の決定は、基地局３２ａが特定の種類のＡＢＳ構成（ここでは、ＭＢＳＦＮ）を使用しているという事実に基づいて、当該ダウンリンク送信に対して使用する、送信出力レベルの決定及び送信フォーマットの決定のうちの一方又は両方を含むことがある。例示的な実施例では、低出力ノード３４ａは、当該ダウンリンク送信に対して、ステップ６０８〜６１０に示した送信出力レベル、及びステップ６１２に示した送信フォーマットの両方を決定する。
【００６５】
送信出力レベルの決定の一環として、実施例の実施形態では、低出力ノード３４ａは、ステップ６０８で、アグレッサセル内の基地局３２ａによって使用されている又は使用されることになっているＡＢＳ構成の種類に基づいて、ダウンリンク制御チャネルに対して正の出力マージンを決定する。特定の実施形態では、この正の出力マージンは、例えば、無線通信機器２０ａによるＡＢＳ構成及び／又は信号品質の測定値を考慮して、無線通信機器２０ａによってダウンリンク送信が成功裏に受信されるために必要と推定される（例えば、受信した信号に対して所望の信号対雑音および干渉比（ＳＮＩＲ）に基づいて）出力増大の量を表す。ある実施形態では、このマージンは典型的には＋２ｄＢから＋６ｄＢの範囲内にあるが、これは、アグレッサセルの干渉のレベル及びセル５０ｂ内の無線通信機器２０の位置などの要因に応じて変化することがある。実施例の実施形態では、低出力ノード３４ａは次に、ステップ６１０で、出力マージン及び基準出力レベルの和に基づいて、ダウンリンク送信に対して送信出力レベルを決定する。
【００６６】
実施例の実施形態のステップ６１２で、低出力ノード３４ａはＡＢＳ構成の種類に基づいてダウンリンク送信に対する送信フォーマットを決定する。特定の実施形態では、これは、基地局３２ａによって使用されるＡＢＳ構成の種類に基づいて、より頑強な送信フォーマットを選択する低出力ノード３４ａを含んでもよい。これは、アグレッサセルからの干渉に対してより抵抗力のある送信を行うため、送信の任意の態様に対してパラメータを決定する低出力ノード３４ａを含むことがある。１つの実施例として、ダウンリンク送信は、送信されるとき、グループ内の他のチャネルと共に多重化される一又は複数の同様のフィードバックチャネルを有するフィードバックチャネルグループ（例えば、ＰＨＩＣＨグループ）に属するフィードバックチャネル（例えば、ＰＨＩＣＨ）を表すことがある。このような実施形態では、低出力ノード３４ａは、各チャネルグループに含まれるフィードバックチャネルの数を変更することによって、より頑強な送信フォーマットを選択してもよい。低出力ノード３４ａが送信フォーマットを調整する方法の他の実施例は、ダウンリンク送信に対して拡散率の大きさを決定する低出力ノード３４ａ、ダウンリンク送信に対して使用するＯＦＤＭシンブルの数、使用する制御チャネルエレメント（ＣＣＥ）の数、変調及びコーディングスキーム（ＭＣＳ）、及び／又はダウンリンク送信に対するコーディング速度を含むことがある。
【００６７】
特定の実施形態では、低出力ノード３４ａは、ステップ６１４に示したように、連携情報を基地局３２ａに送信して、基地局３２ａが潜在的なアグレッサセル内での送信を低出力ノード３４ａに対して決定された送信構成に連携できるようにしてもよい。幾つかの実施形態では、連携情報は、低出力ノード３４ａが基地局３２ａによって使用されるＡＢＳ構成の種類に基づいて、セル５０ｂの中で使用するように選択した送信出力レベル及び／又は送信フォーマットを示すことがある。代替的に又は追加的に、連携情報は、基地局３２ａによって使用されるＡＢＳ構成、又は基地局３２ａによって使用される送信構成の他の何らかの態様に変更を要求することがある。例えば、低出力ノード３４ａがそのダウンリンク送信の受信の信頼性を確保するためにその出力レベルを十分に上げられない場合には、連携情報は、基地局３２ａにそのＡＢＳ構成（例えば、ＭＢＳＦＮ  ＡＢＳ構成から非ＭＢＳＦＮ  ＡＢＳ構成へ）の修正を要求することがある。
【００６８】
低出力ノード３４ａが基地局３２ａのＡＢＳ構成に基づいて送信構成を決定した後、低出力ノード３４ａはビクティムセル（ここでは、セル５０ｂ）内のダウンリンク送信に対して決定された送信構成の使用を開始することができる。ダウンリンク送信を実施するための特定のプロセスは当該の送信の種類に依存する。このプロセスの実施例を図６Ａ、６Ｂのステップ６１６〜６２０に示す。
【００６９】
例示的な実施例では、ダウンリンク送信は、無線通信機器２０ａによって送信されるアップリンクデータ送信に関連するフィードバック情報を伝達するダウンリンクフィードバック送信を表す。したがって、図６Ａ、６Ｂにおいて、ステップ６１６で、低出力ノード３４ａは無線通信機器２０ａによるアップリンクデータ送信をスケジュールし、ステップ６１８で、スケジュールされたアップリンクデータ送信を受信（又は受信に失敗）する。例示的な実施例では、同期フィードバックスキームが使用され、起こるようにスケジュールされているアップリンクデータ送信から決められた数のサブフレーム期間（例えば、４サブフレーム）が経過した後にダウンリンクフィードバック送信が行われる。したがって、ステップ６２０で、低出力ノード３４ａは決定された送信構成に従って応答ダウンリンクフィードバック送信を送信し、送信出力レベル及び／又は送信フォーマットでダウンリンク送信を送信することは、基地局３２ａのＡＢＳ構成に基づいて決定される。無線通信機器２０ａは次に、選択されたフィードバックスキームに従い必要に応じてフィードバック情報に応答してもよい。
【００７０】
特定の実施形態では、低出力ノード３４ａによって無線通信機器２０ａに行われるダウンリンクフィードバック送信は、無線通信機器２０ａによって使用される制限付き測定パターンでの測定に指定されたサブフレームの間に起こる。制限付き測定パターンで指定されたサブフレームは、アグレッサセル内のＡＢＳ構成によってＡＢＳサブフレームとして指定されたサブフレームと重なることがあるため、ビクティムセル内のダウンリンク送信の一部は、アグレッサセル内のＡＢＳサブフレームの間に起こることがある。しかしながら、特定の実施形態では、低出力ノード３４ａは、ＡＢＳ構成によってＡＢＳサブフレームとして構成されていないサブフレームの間にダウンリンク送信の一部を行うことが必要となることがある。アグレッサセル内のＡＢＳサブフレームでないサブフレームの間であっても、信頼性の高い受信を保証する送信出力レベル及び／又は送信フォーマットが選択されたため、このような状況下にあってもダウンリンク送信は成功することがある。当該ダウンリンク送信を構成する低出力ノード３４ａの動作は、図６Ｂに示すように終了する。
【００７１】
図６Ａ、６Ｂは、単純化するため、低出力ノード３４ａが単一の無線通信機器２０に対してフィードバックの種類を選択する実施例を図解しているが、低出力ノード３４ａは、特定の実施形態では、任意の時点に複数の異なる無線通信機器２０にサービス提供を行うことがある。このような実施形態では、低出力ノード３４ａは、低出力ノード３４ａによってサービス提供されるすべての無線通信機器２０に対して使用する送信構成を（例えば、個々の無線通信機器２０に対して一意的でない干渉条件に基づいて、例えば、低出力ノード３４ａが「低出力」ノードであるという事実に基づいて）選択すること、或いは低出力ノード３４ａによってサービス提供される他の無線通信機器２０に対して選択プロセスを反復することがある。
【００７２】
例えば、低出力ノード３４ａは、干渉条件に関して（例えば、各無線通信機器２０の各々がセル５０ｂのＣＲＥゾーン内で動作しているかどうかに関して）複数の無線通信機器２０の各々に対して情報を取得してもよい。このような実施形態では、低出力ノード３４ａは、干渉条件が満たされる第１の無線通信機器群２０に対してダウンリンク送信を行うときに使用する第１の送信構成を選択してもよく、また干渉条件が満たされない第２の無線通信機器群に対して第２の送信構成を選択してもよい。低出力ノード３４ａは次に、第１の送信構成に従って第１の無線通信機器群２０にダウンリンクフィードバック送信を送信し、第２の送信構成に従って第２の無線通信機器群２０にフィードバック情報を送信してもよい。その結果、このような実施形態では、低出力ノード３４ａは必要に応じて異なる無線通信機器２０に対して使用される送信構成を有利に変えることができる。
【００７３】
図７は、無線アクセスノードがサービス提供している（潜在的なビクティムセル内で動作している場合）セル内及び／又は別の無線アクセスノードによってサービス提供される（潜在的なアグレッサセル内で動作している場合）隣接セル内で、ダウンリンク送信を保護するように構成されうる無線アクセスノード７００の特定の実施形態の内容をより詳細に図解するブロック図である。図７に示したように、ネットワークノード７００の実施例の実施形態は、ノードプロセッサ７０２、ノードメモリ７０４、通信インターフェース７０６、アンテナ７０８、送信機７１０、及び受信機７１２を含む。
【００７４】
ノードプロセッサ７０２は、専用マイクロプロセッサ、汎用コンピュータ、又は電子情報を処理することができる他の形態の電子回路など、任意の形態の処理コンポーネントを表す又は含むことがある。ノードプロセッサ７０２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図７は単一のノードプロセッサ７０２を含むネットワークノード７００の実施形態を簡略化するように描いているが、ネットワークノード７００は、任意の適切な方法で同時使用するように構成された任意の数のノードプロセッサ７０２を含んでもよい。
【００７５】
ノードメモリ７０４は、無線アクセスノード７００によって取得された構成情報を保存する。ノードメモリ７０４はまた、ノードプロセッサ７０２に対するプロセッサ命令、コーディングアルゴリズム、送信パラメータ、及び／又は動作の間に無線アクセスノード７００によって利用される他の任意のデータを保存してもよい。  ノードメモリ７０４は、ランダムアクセスメモリ（ＲＡＭ）、リードオンリーメモリ（ＲＯＭ）、磁気記憶、光記憶、又は他の任意の好適な種類のデータ記憶コンポーネントなど、データの保存に適した揮発性又は不揮発性のローカル機器又はリモート機器の、任意の集積及び配置を含んでもよい。図７に単一要素として示したが、ノードメモリ７０４は、無線アクセスノード７００の内部又は離れた場所に存在する一又は複数の物理コンポーネントを含んでもよい。
【００７６】
通信インターフェース７０６は、無線アクセスノード７００と他の無線アクセスノード及び／又はアクセスネットワーク３０並びにコアネットワーク４０の他の要素との通信を可能にするのに適した電子回路及び他のコンポーネントを含む。例えば、無線アクセスノード７００がアクセスネットワーク３０の他のネットワークノードと連携情報を交換する実施形態では、通信インターフェース７０６は、無線アクセスノード７００とアクセスネットワーク３０の他のノードとの間のＸ２インターフェースを介して通信を行うことができる回路を表すことがある。
【００７７】
アンテナ７０８は、無線信号を送受信することができる任意の好適な導体を表す。送信機７１０はアンテナ７０８を介して高周波（ＲＦ）信号を送信し、受信機７１２は無線通信機器２０によって送信されるＲＦ信号をアンテナ７０８から受信する。図７の実施例の実施形態は、ある数と構成のアンテナ、受信機、及び送信機を含むが、無線アクセスノード７００の代替的な実施形態は、任意の好適な数のこれらのコンポーネントを含んでもよい。加えて、送信機７１０、受信機７１２、及び／又はアンテナ７０８は、部分的に又は全体的に同一の物理コンポーネントを表すことがある。例えば、無線アクセスノード７００の特定の実施形態は、送信機７１０と受信機７１２の両方を表す送受信機を含む。
【００７８】
本発明は幾つかの実施形態と共に説明されているが、当業者には多数の変更、変形、改変、変換、及び修正が想起されるであろう。したがって、本発明ではそのような変更、変形、改変、変換、及び修正は添付の特許請求の範囲内に含まれることが意図されている。
【図１Ａ】
2015514336.tif 000003
【図１Ｂ】
2015514336.tif 000004
【図１Ｃ】
2015514336.tif 000005
【図２Ａ】
2015514336.tif 000006
【図２Ｂ】
2015514336.tif 000007
【図３】
2015514336.tif 000008
【図４】
2015514336.tif 000009
【図５】
2015514336.tif 000010
【図６Ａ】
2015514336.tif 000011
【図６Ｂ】
2015514336.tif 000012
【図７】
2015514336.tif 000013
【国際調査報告】
2015514336.tif 000014
2015514336.tif 000015
2015514336.tif 000016
2015514336.tif 000017
2015514336.tif 000018
2015514336.tif 000019